(57)【要約】【課題】遊技盤面と並行に移動して液晶表示装置の前面を開閉する２つの開閉部材間に遊技球が挟まって開閉部材を閉止できなくするという不具合を解消する。【解決手段】開閉駆動機構４１によって支持され、且つ内側端縁を近接させた閉止位置と離間させた開放位置との間を略水平方向へ進退する２つの開閉部材７Ｌ、７Ｒと、各開閉部材の開閉経路の中間位置に配置されると共に前部に遊技球の落下を許容する切欠き部５５Ａを有した遊技球滞留部材５５と、該遊技球滞留部材の切欠き部から落下してきた遊技球を受け入れる遊技球排出路Ｐと、を備え、開閉部材が閉止位置に移動する過程で、各開閉部材が開閉経路上に滞留していた遊技球を遊技球滞留部材上に移動させて切欠き部から落下させる。【選択図】図１２
2013048745.tif 000002
【特許請求の範囲】
【請求項１】
開閉駆動機構によって支持され、且つ内側端縁を近接させた閉止位置と離間させた開放位置との間を略水平方向へ進退する２つの開閉部材と、前記各開閉部材の開閉経路の中間位置に配置されると共に前部に遊技球の落下を許容する切欠き部を有した遊技球滞留部材と、該遊技球滞留部材の切欠き部から落下してきた遊技球を受け入れる遊技球排出路と、を備え、
前記開放位置にあった前記開閉部材が前記閉止位置に移動する過程で、該各開閉部材が前記開閉経路上に滞留していた遊技球を前記遊技球滞留部材上に移動させて前記切欠き部から落下させるように構成したことを特徴とする遊技機。
【請求項２】
前記遊技球滞留部材は、前記各開閉部材の開閉経路の中間位置に配置されると共に前端縁中央部に遊技球の落下を許容する切欠き部を有したプリント基板であることを特徴とする請求項１に記載の遊技機。
【請求項３】
前記開閉部材が前記遊技球滞留部材上の遊技球と接する部位に、該遊技球を前方へ押し出すためのテーパー面を備えたことを特徴とする請求項１又は２に記載の遊技機。
【請求項４】
前記開閉駆動機構は図柄表示装置を支持する液晶ベース枠によって支持されており、前記プリント基板の切欠き部から落下した遊技球は前記液晶ベース枠に設けた排出用開口部から外部に排出されることを特徴とする請求項１乃至３の何れか一項に記載の遊技機。
【請求項５】
前記開閉部材の開閉経路中央部の前方には、前記開閉経路と交差する経路に沿って移動する他の可動役物が配置され、該他の可動役物の背面と前記切欠き部の内奥部との間の距離は、前記遊技球の直径よりも大きく設定されていることを特徴とする請求項１乃至４の何れか一項に記載の遊技機。
【発明の詳細な説明】
【技術分野】
【０００１】
本発明は、例えば遊技盤上の液晶画面を開閉する扉等の開閉部材を備えた遊技機において、開放位置にあった開閉部材を閉止方向へ移動する過程で開閉部材間に遊技球が挟まって完全に閉止できなくなる不具合を解消することができる遊技機に関する。
【背景技術】
【０００２】
パチンコ遊技機をはじめとした遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１（特願２０１０−０６６４６１）には、遊技盤面上に設けた液晶表示装置の表示面を開閉する障子や扉等の開閉部材を盤面と略平行な方向へ開閉、出没動作させることによって遊技進行上特徴的な演出効果を発揮させるようにした可動盤面部品が提案されている。
【０００３】
図１４はパチンコ遊技機に用いられる従来の開閉部材の正面図であり、図１５（ａ）及（ｂ）は開閉部材間に遊技球が挟まる前の状態と、挟まった状態を示す斜視図であり、図１６は遊技球が開閉部材間に挟まれた状態を示す側部縦断面図である。
図示しない遊技盤に形成した開口部の背面側には液晶ベース枠１００が配置され、この液晶ベース枠の背面には図柄表示装置（液晶ディスプレイ）１０１が添設されており、図柄表示装置の画面は液晶ベース枠１００の開口部１００ａから露出している。液晶ベース枠の開口部１００ａの前面側には第１の可動役物１１０が配置されている。
第１の可動役物１１０は、図柄表示装置１０１の前面に配置された左右一対の仮面１１１、１１２と、各仮面１１１、１１２を図１４中に実線で示した閉止位置と鎖線で示した離間位置との間で開閉移動するように上下端縁をガイドする図示しないガイドレールと、一対の仮面を開閉駆動するための駆動機構１１５と、から構成されている。
駆動機構１１５は、仮面１１１、１１２の下部から夫々突設された張出し部１１１ａ、１１２ａに固定されたラックギヤ部材１１６、１１７と、各ラックギヤ部材を水平方向へガイドするガイド部材１１８、１１９と、各ラックギヤ部材の対向する端縁に形成されたギヤ部１１６ａ、１１７ａと噛合してモータＭからの駆動力により回転するピニオンギヤ１２０と、を備えている。
【０００４】
上側のガイド部材１１８の中間位置には凹所１１８ａがあり、凹所１１８ａを塞ぐようにプリント基板１２５が差し渡されている。プリント基板１２５は、このガイド部材１１８と同じ高さレベルに配置されている。プリント基板１２５は、駆動機構１１５を制御するための回路部品、配線パターンを搭載しており、各仮面の張出し部１１１ａ、１１２ａの移動経路の後方に設置されている。
第１の可動役物１１０の前方には、僅かな隙間を隔てて図１６に示した第２の可動役物１３０が昇降自在に配置されている。図示した状態は第２の可動役物が最下降した状態である。
ところで、第１の可動役物１１０は、図示しない遊技盤の盤面よりも後方に退避した位置にあり、しかも遊技盤面を流下する遊技球が可動役物が配置された後方へ飛び込むことがないようにするための図示しない仕切り板が第１の可動役物１１０、及び第２の可動役物１３０の前方に配置されている。このため、通常の遊技状態では可動役物側に遊技球が飛び込むことはない。
【０００５】
しかし、遊技球発射装置から打ち出され、遊技領域内に流下してきた遊技球が、遊技領域の左上部に配置された遊技釘群に引っ掛かりを起こして葡萄状の球詰まりを形成することがある。この葡萄状態が発生した場合には、遊技を中断させて、ホールの担当者にガラス扉を開放して詰まりを起こした遊技球を分散落下させてもらう措置を講じる必要がある。この分散落下する過程で遊技球の一部が各所で跳ね返り、前記仕切り板を越えて可動役物１１０の領域に入り込むことがある。
可動役物１１０側に飛び込んだ遊技球Ｂは、仮面１１１、１１２が開放した状態にある時には、上側のガイド部材１１８上、及び両仮面の張出し部１１１ａ、１１２ａ間に配置されたプリント基板１２５上に滞留する。開閉部材の前方には第１の可動役物１３０が近接配置されており、鎖線で示したプリント基板上の遊技球が実線で示す前方位置に移動した場合、各仮面の直前に近接配置された第２の可動役物１３０の背面とプリント基板１２５の前端縁との間の隙間の寸法Ｌが遊技球Ｂの直径よりも小さいため、遊技球は下方へ落下することができない。この状態で両仮面が閉止位置に移動してくると、遊技球は両仮面の内側端面によって挟まれ、ロックされた状態となる。
【０００６】
このように仮面間に位置する遊技球は、両仮面の張出し部が閉止方向へ移動する経路上に位置しているため、開放位置にあった両仮面が閉止方向へ移動して内側端縁同士を接触させようとしても遊技球が張出し部の内側端面間に挟まって仮面が完全に閉止できなくなり、遊技の進行を停止せざるを得なくなる（図１４の実線状態、図１５（ｂ）、図１６）。
仮面の張出し部間に挟まった遊技球を取り除くためにはホールの担当者に依頼するしかなく、遊技が中断して興趣を低下させるという不具合がある。
【先行技術文献】
【特許文献】
【０００７】
【特許文献１】特願２０１０−０６６４６１
【発明の概要】
【発明が解決しようとする課題】
【０００８】
以上のように、遊技盤面と並行に水平移動して液晶表示装置の前面を開閉する開閉部材にあっては、開閉部材の移動経路に飛び込んで滞留した遊技球が開閉部材の張出し部の内側端面間に挟まって開閉部材を閉止不能に陥らせ、遊技を中止せざるを得なくなる、という不具合があった。
本発明は上記に鑑みてなされたものであり、遊技盤面と並行に開閉移動して２つの開閉部材間に遊技球が挟まって開閉部材が閉止できなくなるという不具合を解消することができる遊技機を提供することを目的としている。
【課題を解決するための手段】
【０００９】
上記目的を達成するため、請求項１の発明に係る遊技機は、開閉駆動機構によって支持され、且つ内側端縁を近接させた閉止位置と離間させた開放位置との間を略水平方向へ進退する２つの開閉部材と、前記各開閉部材の開閉経路の中間位置に配置されると共に前部に遊技球の落下を許容する切欠き部を有した遊技球滞留部材と、該遊技球滞留部材の切欠き部から落下してきた遊技球を受け入れる遊技球排出路と、を備え、前記開放位置にあった前記開閉部材が前記閉止位置に移動する過程で、該各開閉部材が前記開閉経路上に滞留していた遊技球を前記遊技球滞留部材上に移動させて前記切欠き部から落下させるように構成したことを特徴とする。
【００１０】
請求項２の発明は、前記遊技球滞留部材は、前記各開閉部材の開閉経路の中間位置に配置されると共に前端縁中央部に遊技球の落下を許容する切欠き部を有したプリント基板であることを特徴とする。
請求項３の発明は、前記開閉部材が前記遊技球滞留部材上の遊技球と接する部位に、該遊技球を前方へ押し出すためのテーパー面を備えたことを特徴とする。
請求項４の発明は、前記開閉駆動機構は図柄表示装置を支持する液晶ベース枠によって支持されており、前記プリント基板の切欠き部から落下した遊技球は前記液晶ベース枠に設けた排出用開口部から外部に排出されることを特徴とする。
請求項５の発明は、前記開閉部材の開閉経路中央部の前方には、前記開閉経路と交差する経路に沿って移動する他の可動役物が配置され、該他の可動役物の背面と前記切欠き部の内奥部との間の距離は、前記遊技球の直径よりも大きく設定されていることを特徴とする。
【発明の効果】
【００１１】
本発明によれば、開放位置と閉止位置との間を水平移動する２つの開閉部材間に遊技球が挟まって開閉部材が閉止できなくなるという不具合を解消することができる。
【図面の簡単な説明】
【００１２】
【図１】本発明に係る遊技機の一例としてのパチンコ遊技機の正面図である。
【図２】遊技盤及び搭載された各種部品を示す正面図である。
【図３】液晶ベース枠と、液晶ベース枠に搭載された各種可動役物を示す正面側斜視図である。
【図４】図３の正面側分解斜視図である。
【図５】液晶ベース枠に開閉部材及びその駆動機構を組み付けた状態を示す正面図である。
【図６】開閉部材及びその駆動機構の構成例を示す正面側分解斜視図である。
【図７】液晶ベース枠の構成を示す正面側斜視図である。
【図８】駆動機構の構成を示す斜視図である。
【図９】駆動機構の後方側分解斜視図である。
【図１０】開閉部材が開放位置にある時に遊技球が滞留した状態を示す正面側斜視図である。
【図１１】開閉部材により中央に寄せられた遊技球が落下してゆく状態を示す正面側要部斜視図である。
【図１２】開閉部材により中央に寄せられた遊技球が落下してゆく状態を示す背面側斜視図である。
【図１３】遊技球がプリント基板の切欠き部から落下する状態を示す側部縦断面図である。
【図１４】パチンコ遊技機に用いられる従来の開閉部材の正面図である。
【図１５】（ａ）及び（ｂ）は開閉部材間に遊技球が挟まる前の状態と、挟まった状態を示す斜視図である。
【図１６】遊技球が開閉部材間に挟まれた状態を示す側部縦断面図である。
【発明を実施するための形態】
【００１３】
以下、本発明を図面に示した実施の形態により詳細に説明する。
図１は本発明に係る遊技機の一例としてのパチンコ遊技機の正面図であり、図２は遊技盤及び搭載された各種部品を示す正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口８に案内する外レールＲ１、及び内レールＲ２が設けられている。
【００１４】
遊技盤１のほぼ中央部に形成された開口部１ｂ内には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。本例では、図柄表示装置６の前方に仮面を象った２枚の開閉部材７（７Ｌ、７Ｒ）が横方向へ開閉自在に配置されている。
センター部材５の中央下部には図柄表示装置６の特別図柄を可変表示させるための第１始動口９が配置されている。センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
【００１５】
また遊技盤１には普通入賞口１４やアウト口８等が設けられていると共に、風車１５や図示しない多数の遊技釘が突設されている。遊技釘は、遊技球の落下速度を遅くすると共に、落下方向を複雑に変化させて遊技進行上の興趣を高めている。
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１６】
図３は液晶ベース枠と、液晶ベース枠に搭載された各種可動役物を示す正面側斜視図であり、図４は図３の正面側分解斜視図であり、図５は液晶ベース枠に開閉部材及びその駆動機構を組み付けた状態を示す正面図であり、図６は開閉部材及びその駆動機構の構成例を示す正面側分解斜視図であり、図７は液晶ベース枠の構成を示す正面側斜視図であり、図８は駆動機構の構成を示す斜視図であり、図９は駆動機構の後方側分解斜視図であり、図１０は開閉部材が開放位置にある時に遊技球が滞留した状態を示す正面側斜視図であり、図１１は開閉部材により中央に寄せられた遊技球が落下してゆく状態を示す正面側要部斜視図であり、図１２は開閉部材により中央に寄せられた遊技球が落下してゆく状態を示す背面側斜視図であり、図１３は遊技球がプリント基板の切欠き部から落下する状態を示す側部縦断面図である。
液晶ベース枠３０は、背面によって図柄表示装置６の前面を支持する背板３１と、背板３１の左右両側縁から前方に突設された側板３２、３３と、天板３４と、底板３５と、を備えている。背板３１の開口部３１ａ内には図柄表示装置６の画面が露出している。
【００１７】
開閉部材７の下部には、各開閉部材を開閉駆動する開閉駆動機構４１が取り付けられており、両者は開閉ユニット４０として構成されている。この開閉ユニット４０は液晶ベース枠３０に対して前面側から組み付けられる。開閉駆動機構４１は、図５に示した制御手段（ＣＰＵ）９０によって制御される。
底板３５には、上方から落下してきた遊技球を遊技機外部へ排出するための排出用開口部３５ａが形成されている。
符号６０は昇降ユニットであり、この昇降ユニット６０は、ベース部材６１と、ベース部材６１の上面に形成された収容穴６２内から上下方向に出没自在に構成された昇降部材６５と、昇降部材６５を昇降駆動する図示しない昇降駆動機構と、を備えている。昇降ユニット６０は、液晶ベース枠３０の開口部３１ａの下方に位置する背面板前面３１ｂと底板３５を利用して、開閉ユニット４０の前方に固定される。
符号７０は揺動ユニットであり、図柄表示装置６の右側縁に退避した退避位置と、図柄表示装置の画面上に突出した突出位置との間を進退自在に構成されている。揺動ユニット７０は、液晶ベース枠３０の右上隅に固定される揺動駆動機構７１と、揺動駆動機構７１によって上部を図柄表示装置前面と並行に揺動自在に支持された揺動アーム７３と、揺動アームの先端に取り付けられたヨーヨー７５と、を備えている。
【００１８】
開閉駆動機構４１は、液晶ベース枠３０の背面板前面３１ｂに固定される板状のベース部材４２と、開口部３１ａの上縁に沿って液晶ベース枠３０に固定されて各開閉部材７の上部を水平方向へスライド自在にガイドする上部ガイド部（上ガイドレール）４３と、開口部３１ａの下縁に沿って固定されて各開閉部材７Ｌ、７Ｒの下部を水平方向へスライド自在にガイドする下部ガイド部（下ガイドレール）４４と、各開閉部材７Ｌ、７Ｒの下部から夫々下方へ張り出した張出し部４５、４６と、各張出し部４５、４６に夫々水平にネジ止め固定されたラックギヤ部材４７、４８と、各ラックギヤ部材４７、４８と噛合して回転することにより各ラックギヤ部材を水平方向へ進退させるピニオンギヤ５０と、ピニオンギヤ５０を駆動するモータ５１と、を備える。本例では、開閉部材７Ｌ側のラックギヤ部材４７はその下縁にラックギヤ４７ａを有し、開閉部材７Ｒ側のラックギヤ部材４８はその上縁にラックギヤ４８ａを有する。
【００１９】
下部ガイドレール４４は、ラックギヤ部材４７を水平方向へスライド自在にガイドするガイドレール４４ａと、ラックギヤ４８をガイドするガイドレール４４ｂと、から構成されている。図８、図９に示すように回路部品、配線パターンを備えたプリント基板（中継基板。遊技球滞留部材）５５は、ベース部材４２の上端縁中央部から前方に屈曲形成された２つの支持片４２ａ上に固定されており、開閉駆動機構４１を液晶ベース枠３０に組み付けた際には、プリント基板５５はガイドレール４４ａの中央部に設けた凹所４４ａ｀上に位置している。即ち、ガイドレール４４ａはベース部材４２の上端縁に沿った前方に組み付けられるが、プリント基板を支持した支持片４２ａがガイドレール４４ａの凹所４４ａ｀内に突出するため、支持片４２ａ上にプリント基板５５の底面を搭載すると、プリント基板の上面とガイドレール４４ａの上面がほぼ同一面上に位置することとなる。プリント基板５５の長手方向両端部に配置されたコネクタ５５ａからは、ガイドレール４４ａの左右上面に向けてハーネス５５ｂが延びている。
【００２０】
本例のように複数の可動役物が密集して配置されている場合には、プリント基板５５を配置するスペースを確保すること自体が難しいため、ガイドレール４４ａの中央上縁に設けた僅かな設置スペースである凹所４４ａ｀内にプリント基板が収納されるように工夫している。
一方、遊技盤面の左上に植設された遊技釘群に複数の遊技球が葡萄の房状に詰まりを起こした場合には、遊技を中止して係員にガラス枠２を開放してもらい、詰まった遊技球群を落下させる作業を行うが、この際に落下した遊技球が昇降ユニット６０の前方に配置された仕切り板８０（図１、図２参照）を乗り越えて奥側に位置する開閉ユニット４０上へ落下することがある。この場合、開閉部材７Ｌ、７Ｒが開放していると、遊技球Ｂは、図１０に示すようにガイドレール４４ａの上面（開閉部材の開閉経路）からプリント基板５５の上面にかけて滞留し、両開閉部材が閉止方向へ同時に移動して来ると、ガイドレール４４ａ上の遊技球は張出し部４５、４６の内側面によって中央に押圧されてプリント基板５５の上面に寄せられる。
なお、開閉部材が遊技球を中央に寄せる作業は、演出中における通常の開閉動作によって実施されるものであり、遊技球を中央に寄せるための格別の動作が行われる訳ではない。
【００２１】
図１３に示すように開閉部材の前方には僅かな隙間を隔てて昇降ユニットの昇降部材６５の背面が位置しており、プリント基板の前端縁と昇降部材６５の背面との距離Ｌ１は遊技球の直径よりも短い。一方、プリント基板の前端縁に形成した切欠き部５５Ａの内奥部と昇降部材６５の背面との間の距離Ｌ２は遊技球の直径よりも大きく設定されている。つまり、プリント基板の前端縁中央部には昇降部材６５の背面との間に少なくとも一個の遊技球を落下させるに足る切欠き部５５Ａが形成されている。このため、プリント基板５５上の遊技球はプリント基板の前方に位置する張出し部４５、４６の内側端面間に挟まれてロックされる前に切欠き部５５Ａを経由してプリント基板の下方へ落下させることができる。つまり、切欠き部５５Ａは、昇降部材の背面との間に遊技球を落下させるに足る開口Ｏを形成することができるようにその形状、サイズが設定される。
切欠き部５５Ａは、プリント基板上に搭載された回路部品、配線パターンと干渉しない位置に、必要最小限の開口面積となるように形成する。
【００２２】
開口Ｏの下方には遊技球Ｂを落下させる遊技球排出路Ｐがあり、遊技球排出路Ｐは排出用開口部３５ａと連通しているため、開口Ｏから落下した遊技球は排出用開口部３５ａから遊技機外部へ排出される（図１１、図１２、図１３）。
なお、遊技球排出路Ｐの途中にはラックギヤ部材４８が位置し、排出路内に突出しているが、ラックギヤ部材４８の前方には遊技球が通過するに足る空間があるため、遊技球はラックギヤ４８に一旦当たってからこれを前方に乗り越えて下方へ落下することができる。
要するに、遊技球排出路Ｐは、格別な専用の通路として形成されていなくても、部品間の隙間を利用して形成することができる。
このように本発明では、液晶ベース枠３０の前方に配設された開閉駆動機構４１と、開閉駆動機構によって下部を支持され、且つ内側端縁を近接させた閉止位置と離間させた開放位置との間を略水平方向へ進退する２つの開閉部材７Ｌ、７Ｒと、各開閉部材の開閉経路の中間位置の奥側に水平に配置されると共に前端縁に遊技球の落下を許容する切欠き部５５Ａを有したプリント基板５５と、該プリント基板の切欠き部から落下してきた遊技球を液晶ベース枠外部に排出する遊技球排出路Ｐと、を備えている。
【００２３】
そして、開放位置にあった開閉部材が閉止位置に移動する過程で、各開閉部材が開閉経路上に滞留していた遊技球をプリント基板（遊技球滞留部材）上に移動させて切欠き部から落下させるように構成した。具体的には、各開閉部材の張出し部４５、４６の内側端面、或いは各張出し部から後方へ突設された突片４５Ａ、４６Ａが開閉経路（ガイドレール４４ａ上）の遊技球を中央へ向けて押し、プリント基板５５上に遊技球が移動してから切欠き部から落下してゆく。
また、プリント基板上に遊技球が滞留していた状態で開閉部材が閉止位置に移動してきた場合においても、各開閉部材の張出し部の内側端面、突片４５Ａ、４６Ａによってプリント基板上の遊技球は切欠き部に導かれて遊技球排出路Ｐ内に落下してゆく。なお、張出し部の内側端面、突片４５Ａ、４６Ａの形状をプリント基板上の遊技球を前方（切欠き部方向）へ押出し易いようにテーパー状に構成しておいてもよい。即ち、例えば各突片の内側面を前方へ向かう程、外側に拡開するようなテーパー面としてもよい。
このため、格別の部品を追加することなく、既存の部品である開閉部材の通常の動作を利用してプリント基板上に遊技球が滞留することをなくし、プリント基板上の遊技球が開閉部材の内側端面間に挟まって開閉駆動機構を作動不能に陥らせるという不具合がなくなる。
【００２４】
なお、上記実施形態ではプリント基板５５上の遊技球が滞留する例を示したが、これは一例であり、プリント基板以外の部材（遊技球滞留部材）が開閉部材の開閉経路の中間位置の奥側にあることによって遊技球がその上に滞留し、その結果として開閉部材に遊技球が噛込まれるという不具合が発生する遊技機の構成一般に本発明を適用することができる。
また、開閉部材の開閉経路中央部の前方に開閉経路と交差する経路に沿って移動する他の可動役物（昇降部材６５）が配置されている場合には、他の可動役物の背面とプリント基板との間の距離を遊技球の直径よりも大きく設定することになるが、昇降部材の背面側に凹所を設けることにより上記距離を遊技球の直径よりも大きくしてもよい。
【符号の説明】
【００２５】
１…遊技盤、１ａ…遊技領域、１ｂ…開口部、２…ガラス枠、３…皿部、４…発射レバー、５…センター部材、７Ｌ、７Ｒ…開閉部材、８…アウト口、９…始動口、１１…可変入賞装置、１２…ゲート、１３…大入賞口、１４…普通入賞口、１５…風車、１６…普通図柄表示装置、３０…液晶ベース枠、３１…背板、３１ａ…開口部、３１ｂ…背面板前面、３２、３３…側板、３４…天板、３５…底板、３５ａ…排出用開口部、４０…開閉ユニット、４１…開閉駆動機構、４２…ベース部材、４２ａ…支持片、４４…下部ガイドレール、４４ａ…ガイドレール、４４ａ｀…凹所、４４ｂ…ガイドレール、４５、４６…張出し部、４５Ａ、４６Ａ…突片、４７、４８…ラックギヤ部材、４７ａ…ラックギヤ、４８…ラックギヤ部材、４８ａ…ラックギヤ、５０…ピニオンギヤ、５１…モータ、５５…プリント基板（遊技球滞留部材）、５５Ａ…切欠き部、５５ａ…コネクタ、５５ｂ…ハーネス、６０…昇降ユニット、６１…ベース部材、６２…収容穴、６５…昇降部材、７０…揺動ユニット、７１…揺動駆動機構、７３…揺動アーム、７５…ヨーヨー
【図１】
2013048745.tif 000003
【図２】
2013048745.tif 000004
【図３】
2013048745.tif 000005
【図４】
2013048745.tif 000006
【図５】
2013048745.tif 000007
【図６】
2013048745.tif 000008
【図７】
2013048745.tif 000009
【図８】
2013048745.tif 000010
【図９】
2013048745.tif 000011
【図１０】
2013048745.tif 000012
【図１１】
2013048745.tif 000013
【図１２】
2013048745.tif 000014
【図１３】
2013048745.tif 000015
【図１４】
2013048745.tif 000016
【図１５】
2013048745.tif 000017
【図１６】
2013048745.tif 000018
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
開閉駆動機構によって支持され、且つ内側端縁を近接させた閉止位置と離間させた開放位置との間を略水平方向へ進退する２つの開閉部材と、前記各開閉部材の開閉経路上に沿って形成された略水平な遊技球寄せ経路と、前記遊技球寄せ経路の中間位置に配置されると共に前部に遊技球の落下を許容する切欠き部を有した遊技球滞留部材と、該遊技球滞留部材の切欠き部から落下してきた遊技球を受け入れる遊技球排出路と、を備え、
前記遊技球寄せ経路の中間位置は、前記各開閉部材の内側端縁が近接する閉止位置に相当しており、
前記切欠き部は、前記遊技球寄せ経路の中間位置に相当する位置にあり、
前記開放位置にあった前記開閉部材が前記閉止位置に移動する過程で、該各開閉部材が前記遊技球滞留部材上ではない前記遊技球寄せ経路上に滞留していた遊技球を前記遊技球滞留部材上に寄せ移動させて前記切欠き部から落下させるように構成したことを特徴とする遊技機。
【請求項２】
前記遊技球滞留部材は、前記各開閉部材の開閉経路の中間位置に配置されると共に前端縁中央部に遊技球の落下を許容する切欠き部を有したプリント基板であることを特徴とする請求項１に記載の遊技機。
【請求項３】
前記開閉部材が前記遊技球滞留部材上の遊技球と接する部位に、該遊技球を前方へ押し出すためのテーパー面を備えたことを特徴とする請求項１又は２に記載の遊技機。
【請求項４】
前記開閉駆動機構は図柄表示装置を支持する液晶ベース枠によって支持されており、前記プリント基板の切欠き部から落下した遊技球は前記液晶ベース枠に設けた排出用開口部から外部に排出されることを特徴とする請求項１乃至３の何れか一項に記載の遊技機。
【請求項５】
前記開閉部材の開閉経路中央部の前方には、前記開閉経路と交差する経路に沿って移動する他の可動役物が配置され、該他の可動役物の背面と前記切欠き部の内奥部との間の距離は、前記遊技球の直径よりも大きく設定されていることを特徴とする請求項１乃至４の何れか一項に記載の遊技機。
【手続補正２】
【補正対象書類名】明細書
【補正対象項目名】０００５
【補正方法】変更
【補正の内容】
【０００５】
しかし、遊技球発射装置から打ち出され、遊技領域内に流下してきた遊技球が、遊技領域の左上部に配置された遊技釘群に引っ掛かりを起こして葡萄状の球詰まりを形成することがある。この葡萄状態が発生した場合には、遊技を中断させて、ホールの担当者にガラス扉を開放して詰まりを起こした遊技球を分散落下させてもらう措置を講じる必要がある。この分散落下する過程で遊技球の一部が各所で跳ね返り、前記仕切り板を越えて可動役物１１０の領域に入り込むことがある。
可動役物１１０側に飛び込んだ遊技球Ｂは、仮面１１１、１１２が開放した状態にある時には、上側のガイド部材１１８上、及び両仮面の張出し部１１１ａ、１１２ａ間に配置されたプリント基板１２５上に滞留する。開閉部材の前方には第２の可動役物１３０が近接配置されており、鎖線で示したプリント基板上の遊技球が実線で示す前方位置に移動した場合、各仮面の直前に近接配置された第２の可動役物１３０の背面とプリント基板１２５の前端縁との間の隙間の寸法Ｌが遊技球Ｂの直径よりも小さいため、遊技球は下方へ落下することができない。この状態で両仮面が閉止位置に移動してくると、遊技球は両仮面の内側端面によって挟まれ、ロックされた状態となる。
【手続補正３】
【補正対象書類名】明細書
【補正対象項目名】０００９
【補正方法】変更
【補正の内容】
【０００９】
上記目的を達成するため、請求項１の発明に係る遊技機は、開閉駆動機構によって支持され、且つ内側端縁を近接させた閉止位置と離間させた開放位置との間を略水平方向へ進退する２つの開閉部材と、前記各開閉部材の開閉経路上に沿って形成された略水平な遊技球寄せ経路と、前記遊技球寄せ経路の中間位置に配置されると共に前部に遊技球の落下を許容する切欠き部を有した遊技球滞留部材と、該遊技球滞留部材の切欠き部から落下してきた遊技球を受け入れる遊技球排出路と、を備え、前記遊技球寄せ経路の中間位置は、前記各開閉部材の内側端縁が近接する閉止位置に相当しており、前記切欠き部は、前記遊技球寄せ経路の中間位置に相当する位置にあり、前記開放位置にあった前記開閉部材が前記閉止位置に移動する過程で、該各開閉部材が前記遊技球滞留部材上ではない前記遊技球寄せ経路上に滞留していた遊技球を前記遊技球滞留部材上に寄せ移動させて前記切欠き部から落下させるように構成したことを特徴とする。
【手続補正４】
【補正対象書類名】明細書
【補正対象項目名】００２０
【補正方法】変更
【補正の内容】
【００２０】
本例のように複数の可動役物が密集して配置されている場合には、プリント基板５５を配置するスペースを確保すること自体が難しいため、ガイドレール４４ａの中央上縁に設けた僅かな設置スペースである凹所４４ａ｀内にプリント基板が収納されるように工夫している。
一方、遊技盤面の左上に植設された遊技釘群に複数の遊技球が葡萄の房状に詰まりを起こした場合には、遊技を中止して係員にガラス枠２を開放してもらい、詰まった遊技球群を落下させる作業を行うが、この際に落下した遊技球が昇降ユニット６０の前方に配置された仕切り板８０（図１、図２参照）を乗り越えて奥側に位置する開閉ユニット４０上へ落下することがある。この場合、開閉部材７Ｌ、７Ｒが開放していると、遊技球Ｂは、図１０に示すようにガイドレール４４ａの上面（開閉部材の開閉経路＝遊技球寄せ経路）からプリント基板５５の上面にかけて滞留し、両開閉部材が閉止方向へ同時に移動して来ると、ガイドレール４４ａ上の遊技球は張出し部４５、４６の内側面によって中央に押圧されてプリント基板５５の上面に寄せられる。
なお、開閉部材が遊技球を中央に寄せる作業は、演出中における通常の開閉動作によって実施されるものであり、遊技球を中央に寄せるための格別の動作が行われる訳ではない。
【手続補正５】
【補正対象書類名】明細書
【補正対象項目名】００２４
【補正方法】変更
【補正の内容】
【００２４】
なお、上記実施形態ではプリント基板５５上に遊技球が滞留する例を示したが、これは一例であり、プリント基板以外の部材（遊技球滞留部材）が開閉部材の開閉経路の中間位置の奥側にあることによって遊技球がその上に滞留し、その結果として開閉部材に遊技球が噛込まれるという不具合が発生する遊技機の構成一般に本発明を適用することができる。
また、開閉部材の開閉経路中央部の前方に開閉経路と交差する経路に沿って移動する他の可動役物（昇降部材６５）が配置されている場合には、他の可動役物の背面とプリント基板との間の距離を遊技球の直径よりも大きく設定することになるが、昇降部材の背面側に凹所を設けることにより上記距離を遊技球の直径よりも大きくしてもよい。